(57)【要約】【課題】  身体の塗布面に塗布具を圧接して塗布することと、塗布面から離した塗布具から、内容液を滴下させて塗布することを選択できるようにした塗布用容器を提供すること。【解決手段】  容器本体と、該容器本体に装着された塗布用具と弁部材、取付キャップとからなる塗布用部材を備えた塗布用容器であって、塗布用具が、下端に弁座を設けた円筒状の塗布具と、該塗布具に連設され、取付キャップに支持された弾性支持筒とを具備しており、弁部材が、上端に弁体を具えた弁棒、胴部の押圧によって作動され、弁棒を上下動させる操作部材とからなることを特徴とする。【選択図】  図１
2006150238.tif 000002
【特許請求の範囲】
【請求項１】
容器本体と、該容器本体に装着された塗布用具と弁部材、取付キャップとからなる塗布用部材を備えた塗布用容器であって、
塗布用具が、下端に弁座を設けた円筒状の塗布具と、該塗布具に連設され、取付キャップに支持された弾性支持筒とを具備しており、
弁部材が、上端に弁体を具えた弁棒、胴部の押圧によって作動され、弁棒を上下動させる操作部材とからなることを特徴とする塗布用容器。
【請求項２】
操作部材が、容器本体の口筒部に嵌挿される取付筒と、胴部の押圧により下端が内側に傾斜される作動板と、該作動板の下端部と弁棒下端とを連結する傾斜板とからなることを特徴とする請求項１記載の塗布用容器。
【発明の詳細な説明】
【技術分野】
【０００１】
本発明は、塗布用容器、とくに被塗布面への直接塗布と、滴下による塗布を選択できるようにした塗布用容器に関するものである。
【背景技術】
【０００２】
上端に突出部を具えスプリングで付勢した弁体を、弁座面に具えた栓体に圧接するように装着した塗布栓であって、身体の塗布面への感触が柔らかく、強く押圧しても不快感を伴わず、マッサージ効果のある塗布栓は、従来より知られている（例えば、特許文献１参照）。
しかし、上記特許文献１記載の従来技術は、皮膚に直接塗布するときには効果的であるが、皮膚に傷があるときなどには、直接皮膚に接触させることができないという問題があった。
【特許文献１】特開平８−２１７１２３号公報
【発明の開示】
【発明が解決しようとする課題】
【０００３】
本発明は、上記問題を解決することを課題とし、身体の塗布面に塗布具を圧接して塗布することと、塗布面から離した塗布具から、内容液を滴下させて塗布することを選択できるようにした塗布用容器を提供することを目的とする。
【課題を解決するための手段】
【０００４】
本発明は、上記の課題を解決するため、塗布用容器として、容器本体と、該容器本体に装着された塗布用具と弁部材、取付キャップとからなる塗布用部材を備えた塗布用容器であって、塗布用具が、下端に弁座を設けた円筒状の塗布具と、該塗布具に連設され、取付キャップに支持された弾性支持筒とを具備しており、弁部材が、上端に弁体を具えた弁棒、胴部の押圧によって作動され、弁棒を上下動させる操作部材とからなることを特徴とする構成を採用する。
【０００５】
操作部材の実施例として、操作部材が、容器本体の口筒部に嵌挿される取付筒と、胴部の押圧により下端が内側に傾斜される作動板と、該作動板の下端部と弁棒下端とを連結する傾斜板とからなることを特徴とする構成を採用する。
【発明の効果】
【０００６】
本発明は、塗布用具が、下端内周に弁座を設けた円筒状の塗布具と、弾性支持筒とを具備し、弁体が胴部の押圧によって上下動可能としているので、塗布具を塗布面に接触させ、塗布用容器を押付けることによって、塗布具の注出路を開口し、内容液を注出塗布することができ、また、塗布具を塗布面から離した状態で胴部を押圧することによって、弁体を弁座から離して注出路を開口し、内容液を滴下し、塗布できるようになった。
そのことにより、一つの塗布用容器で、塗布具の圧接塗布と内容器の滴下塗布とを選択できるようになった。
【発明を実施するための最良の形態】
【０００７】
次に、本発明の塗布用容器について、図面を参照して説明する。
図１において、Ａは容器本体、Ｂは容器本体Ａに装着された塗布用部材、Ｃはオーバーキャップである。
図１〜３に示すように、容器本体Ａは、口筒部１と肩部２、胴部３と底部４とからなり、可撓性を有する合成樹脂によって形成され、内容物として、液体、または粉末状の医薬品、化粧料等が収納される。  
【０００８】
口筒部１の外周面には、ねじ５が螺設され、下端には、環状段部６が形成されている。
肩部２と胴部３は、断面角形となっており、胴部３の前後面３ａ、３ｂは、環状段部６の周面より内側に位置している。
【０００９】
塗布用部材Ｂは、塗布用具Ｂ１と弁部材Ｂ２、取付キャップＢ３とから構成され、塗布用具Ｂ１は、柔軟性を有する材料から成形された円筒状の塗布具１０と、該塗布具１０下端から連設された弾性支持筒１１とを具えている。
塗布具１０の内周下端には、膨出環１２が設けられて弁座となっており、弾性支持筒１１は、上部の円錐状部１３と、下部の円筒状の嵌合筒部１４とからなっている。
【００１０】
弁部材Ｂ２は、上端に弁体１５を設けた弁棒１６と、弁棒１６を上下動させる操作部材１７とからなっている。
操作部材１７は、弁棒１６の下端に接続された傾斜板１８と、該傾斜板１８に接続し、中間部に外側に偏奇して位置する突出板部１９を有する垂直に延びる作動板２０と、作動板２０の上端と連設する取付筒２１とからなっており、取付筒２１は、容器本体Ａの口筒部１内周に嵌合されており、上端には、フランジ２２が設けられ、口筒部１天面に接合している。
【００１１】
取付キャップＢ３は、塗布具１０の周面を囲む環状の上壁２５と、円錐筒２６、該円錐筒２６の下端に連設し、前記取付筒２１を口筒部１に圧接させる円筒２７とを具えている。
円筒２７の上端には、フランジ２８が設けられ、下端内周には、塗布用具Ｂ１の嵌合筒部１４の下端を支持する突出環２９が設けられている。
【００１２】
塗布具１０と弁体１５との位置関係は、取付キャップＢ３によって塗布用具Ｂ１を保持し、弁部材Ｂ２の取付筒２１を口筒部１内周に圧接するとともに、取付筒２１のフランジ２２を、取付キャップＢ３のフランジ２８によって口筒部１天面に圧接させるようにすると、弁部材Ｂ２が、容器本体Ａの口筒部１に対して一定の位置関係で支持され、そのときには、弁体１５が塗布具１０の弁座、すなわち膨出環１２と接合して注出路を閉鎖するようにしている。
【００１３】
オーバーキャップＣは、頂壁３０と円錐筒３１、円錐筒３１につづく段部３２と円形の螺着筒３３とから構成され、螺着筒３３の内周には、口筒部１のねじ５に螺合するねじ３４が螺設されている。
【００１４】
次に、本発明の使用態様と作用効果について説明する。
まず、塗布用容器の組立については、内容物を充填した容器本体Ａの口筒部１内周に、弁部材Ｂ２と塗布用具Ｂ１を保持した取付キャップＢ３を、弁部材Ｂ２の取付筒２１を口筒部１に圧接するようにして、口筒部１に嵌合し、次いで、キャップＣを被嵌することによって得られる。
【００１５】
本発明の塗布用容器は、内容物を塗布面に直接塗布したり、塗布面に滴下させて塗布することによって使用することができる。
【００１６】
まず始めに、直接塗布する場合について説明する。
図４に示すように、塗布具１０を身体の所望する塗布面ｐに当接し、塗布用容器を塗布面ｐに押圧すると、塗布具１０が弾性支持筒１１を変形させて後退し、塗布具１０の弁座である膨出部１２と弁体１５との間に注出路ｓを形成し、内容物が注出され、塗布用容器を塗布面ｐに接触させながら動かすと、広い範囲にも塗布することができる。
塗布具１０を塗布面ｐから離すと、弾性支持筒１１が復元して、弁体１５が膨出環１２に接合して、注出路ｓを閉鎖することとなる。
【００１７】
次に、内容物を滴下させて塗布する場合について説明する。
図５に示すように、塗布具１０を身体の塗布面ｐに向け、容器本体Ａの胴部３の前後面３ａ、３ｂを押圧すると、前後面３ａ、３ｂによって、突出板１９が押圧され、作動板２０が取付筒２１との接続部を軸として内方に屈曲され、傾斜板１８との接続角を減少し、傾斜板１８と弁棒１６を押下げるように作用する。
【００１８】
そのことによって、弁体１５が膨出環１２より離れるように移動し、注出路ｓを開くと同時に、胴部３の前後面３ａ、３ｂが押圧されることによって、容器本体Ａ内の内圧が上昇され、内容液は注出路ｓを通って注出され、塗布面ｐに滴下されることになる。
【００１９】
広い範囲に塗布したいときには、塗布用容器を移動させ、少量ずつ滴下させていくと、所望する範囲に塗布することができる。
【００２０】
したがって、本塗布用容器は、塗布面ｐに直接接触させて塗布すること、塗布面ｐから離して塗布することができるので、同じ内容物の薬剤を身体に塗布するにしても、接触して傷口が痛む場合には、塗布面ｐから離して滴下させることができ、そうでない場合には、直接塗布面ｐに塗布するとともに、周辺を押圧することによってマッサージ効果を得ることもできる。
【００２１】
いずれの場合にも、塗布が終わると、容器本体ＡにキャップＣを被嵌して塗布用容器を保管しておくことができる。
【００２２】
前記実施例では、塗布具１０の支持に弾性を有する弾性支持筒１１を用いたが、塗布具１０と取付キャップＢ３の支持部との間に、一体、或いは別体のばね部材を用いてもよい。
また、弁部材Ｂ２の取付筒２１を口筒部１内周に嵌挿したが、取付筒２１を取付キャップＢ３の円筒２７の下端に取付け、取付キャップＢ３の円筒２７とフランジ２８を口筒部１の内周と天面に接合させ、嵌合させるようにして取り付けてもよい。
【００２３】
さらにまた、口筒部１上端外周に係止突条を具えた縮径部を形成し、取付キャップＢ３のフランジ外周縁から上記係止突条に係合する係止筒を垂設して嵌合させるようにすること、或いは、取付キャップＢ３のフランジ外周縁から内面にねじ部を形成した螺合筒を垂下させ、口筒部１上端外周にキャップ用のねじとは別にねじを螺設して、取付キャップＢ３と口筒部１とを螺着する等、各部材の取付方法は適宜選択できる。
【産業上の利用可能性】
【００２４】
本発明の塗布用容器は、塗布面に接触させて、直接的に塗布すること、および、塗布面から離して塗布することができるから、とくに、医薬的な塗布にはきわめて有効である。
また、医薬品ばかりではなく、身体を対象とする化粧料等の塗布用容器としても、広く適用できる。
【図面の簡単な説明】
【００２５】
【図１】本発明塗布用容器の一部断面正面図である。
【図２】塗布用容器の一部断面側面図である。
【図３】塗布用容器の上面図である。
【図４】塗布具の圧接塗布時の説明図である。
【図５】内容物の滴下塗布時の説明図である。
【符号の説明】
【００２６】
Ａ          容器本体
Ｂ          塗布用部材
Ｂ１        塗布用具
Ｂ２        弁部材
Ｂ３        取付キャップ
Ｃ          オーバーキャップ
ｐ          塗布面
ｓ          注出路
１          口筒部
２          肩部
３          胴部
３ａ，ｂ    前後面
４          底部
５          ねじ
６          環状段部
１０        塗布具
１１        弾性支持筒
１２        膨出環
１３        円錐状部
１４        嵌合筒部
１５        弁体
１６        弁棒
１７        操作部材
１８        傾斜板
１９        突出板部
２０        作動板
２１        取付筒
２２        フランジ
２５        上壁
２６        円錐筒
２７        円筒
２８        フランジ
２９        突出環
３０        頂壁
３１        円錐筒
３２        段部
３３        螺着筒
３４        ねじ
【図１】
2006150238.tif 000003
【図２】
2006150238.tif 000004
【図３】
2006150238.tif 000005
【図４】
2006150238.tif 000006
【図５】
2006150238.tif 000007